(57)【要約】【課題】翼付留置針をプロテクタ本体内へ収納する操作が極めて簡単であり、かつ、確実に針刺し事故や感染を回避することのできる翼付留置針用プロテクタを提供する。【解決手段】略円筒状のプロテクタ本体９の外周に環状の摺動部材１０を摺動自在に設ける。プロテクタ本体９に、翼付留置針１の各翼片５を中空針３の収納方向に案内する３つのスリット１３を設ける。スリット１３は、プロテクタ本体９の先端から軸方向に沿って翼付留置針１の中空針３より長く且つ翼片５の厚みに対応する幅に切り込んで形成されている。摺動部材１０は、翼付留置針１が未収納時にプロテクタ本体９の先端部に位置してスリット１０を閉塞し、翼付留置針１を収納する際にスリット１３に案内される翼片５に当接して翼片５と共にプロテクタ本体９の後端に向って摺動する。【選択図】図１
2004222960.tif 000002
【特許請求の範囲】
【請求項１】
先端部に刃先を有する中空針と、該中空針の後端部を保持する保持筒と、該保持筒と一体に形成された一対の翼片とを備えて該保持筒の後端部にチューブが接続された翼付留置針を収納する翼付留置針用プロテクタにおいて、
前記チューブに移動自在に外挿された略円筒状のプロテクタ本体と、
該プロテクタ本体の先端から軸方向に沿って前記中空針より長く且つ翼片の厚みに対応する幅に切り込んで形成され、前記翼付留置針の各翼片を中空針の収納方向に案内する複数のスリットと、
該プロテクタ本体の外周に摺動自在に装着され、前記翼付留置針が未収納時に該プロテクタ本体の先端部に位置させて前記スリットを閉塞し、前記翼付留置針を収納する際に該スリットに案内される翼片に当接して該翼片と共にプロテクタ本体の後端に向って摺動する環状の摺動部材とを備えることを特徴とする翼付留置針用プロテクタ。
【請求項２】
前記プロテクタ本体には、少なくとも３つの前記スリットが所定間隔を存して配設されていることを特徴とする請求項１記載の翼付留置針用プロテクタ。
【請求項３】
前記プロテクタ本体の後端部には、前記チューブが挿通自在であって且つ前記翼付留置針が収納されたとき、前記保持筒とチューブとの間に形成された拡径部を嵌挿して係止する係止部が設けられていることを特徴とする請求項１又は２記載の翼付留置針用プロテクタ。
【発明の詳細な説明】
【０００１】
【発明の属する技術分野】
本発明は、点滴等の医療行為に使用される翼付留置針のプロテクタに関する。
【０００２】
【従来の技術】
従来、中空針と、該中空針の基端を保持する保持筒と、該保持筒と一体に形成された一対の翼片とを備えた翼付留置針が点滴等の医療行為に使用されている。医療行為者は両翼片を合掌状態にして挟持し、中空針を患者の血管に穿入し、しかる後に両翼を拡げて粘着テープにより患者の皮膚に貼り付けて中空針を固定する。そして、中空針を介して患者への点滴等を行う。使用済みとなった翼付留置針は患者から取り外されて廃棄されるが、中空針がむき出しになっていると廃棄処理を行う者が中空針に刺されたり、触れたりして病原菌などに感染するおそれがある。
【０００３】
針刺し事故や感染を回避するため、略円筒状のプロテクタ本体の周壁に軸方向に沿って径方向に略対称に一対のスリットを設けた翼付留置針用プロテクタが用いられている。かかる翼付留置針用プロテクタによれば、拡がった状態の翼片がスリットの先端から後方に徐々に摺動して挿入され、これに伴い中空針も徐々に後方に移動してプロテクタ本体内に収納される。しかし、一定以上の力により翼片がスリットに沿って先端方向に摺動自在であるので、中空針が翼付留置針用プロテクタの先端から突出し、針刺し事故や感染が起こるおそれが残る。
【０００４】
かかる不都合を解消すべく、略円筒状のプロテクタ本体の周壁を先端から軸方向に沿って切り込んで、中空針より長く、かつ、合掌状態の前記翼片が摺動自在な一本のスリットを設け、該プロテクタ本体の周壁を周方向に部分的に切り欠いて拡翼状の前記翼片を嵌める翼用溝を該スリットに連続して設けたことを特徴とする翼付留置針用プロテクタが知られている（例えば、特許文献１参照）。該スリットは切れ目状に形成されて閉じた状態とされている。そして、合掌状態の前記翼片をスリットに挟むようにして進入させると、該スリットが翼片によって押し開かれ、翼片が摺動可能となる。
【０００５】
しかしながら、翼付留置針をプロテクタ本体内へ収納する際に、両翼片を合掌する必要があるため、プロテクタ本体内に収納する操作が煩わしい不都合がある。また、スリットに挟まれた状態で翼片を摺動させなければならず、摺動抵抗が比較的大きく、円滑な収納作業を阻害する不都合がある。
【０００６】
そこで、スリットを幅広に形成して翼片の摺動抵抗を小とし、収納作業が容易に行なえるようにすることが考えられるが、スリットを幅広に形成することにより、翼付留置針に接続されている輸液チューブ等が該スリットに不用意に挟まれて円滑な収納作業ができなくなるだけでなく、収納過程において該スリットを介して翼付留置針がプロテクタ本体から抜け出すおそれがある。
【０００７】
【特許文献１】
特開平１１−３１９０８６号公報（第２−３頁、第２図）
【０００８】
【発明が解決しようとする課題】
本発明は上記背景を鑑みてなされたものであり、翼付留置針をプロテクタ本体内へ収納する操作が極めて簡単であり、かつ、確実に針刺し事故や感染を回避することのできる翼付留置針用プロテクタを提供することを目的とする。
【０００９】
【課題を解決するための手段】
かかる目的を達成するために、本発明は、先端部に刃先を有する中空針と、該中空針の後端部を保持する保持筒と、該保持筒と一体に形成された一対の翼片とを備えて該保持筒の後端部にチューブが接続された翼付留置針を収納する翼付留置針用プロテクタにおいて、前記チューブに移動自在に外挿された略円筒状のプロテクタ本体と、該プロテクタ本体の先端から軸方向に沿って前記中空針より長く且つ翼片の厚みに対応する幅に切り込んで形成され、前記翼付留置針の各翼片を中空針の収納方向に案内する複数のスリットと、該プロテクタ本体の外周に摺動自在に装着され、前記翼付留置針が未収納時に該プロテクタ本体の先端部に位置させて前記スリットを閉塞し、前記翼付留置針を収納する際に該スリットに案内される翼片に当接して該翼片と共にプロテクタ本体の後端に向って摺動する環状の摺動部材とを備えることを特徴とする。
【００１０】
使用済みになった翼付留置針が前記構成の翼付針用プロテクタに収納されるとき、まず、両翼片が各スリットの先端に進入するように前記チューブを引っ張る。これにより、両翼片はスリットに沿って後方に徐々に摺動されてプロテクタ本体内に翼付留置針が収納される。スリットは翼片の厚みに対応する幅に切り込んで形成されているので、翼片の摺動抵抗が比較的小さく、円滑な収納作業を行なうことができる。そしてスリットは中空針よりも長いので、両翼片がスリットの後端に当接したとき該中空針はプロテクタ本体内に確実に収納することができる。これにより、翼付留置針の廃棄処理を行う者は、針刺し事故や感染を回避して安全に作業を行うことができる。
【００１１】
そして更に、本発明によれば、前記翼付留置針が未収納時に該摺動部材をプロテクタ本体の先端部に位置させることで、摺動部材が前記スリットの先端側を閉塞するので、スリットが翼片の厚みに対応する幅に形成されていても、翼付留置針に接続されてているチューブがスリットに挟み込まれることを防止することができる。しかも、各翼片がスリットに沿って案内されるときには、摺動部材が翼片に当接して該翼片と共にプロテクタ本体の後端に向って摺動するので、プロテクタ本体への翼付留置針の収納操作を阻害することなく、翼付留置針のプロテクタ本体への収納が完了するまで、チューブのスリットへの挟み込みを防止することができる。これにより、プロテクタ本体への翼付留置針の収納操作を円滑に行なうことができる。
【００１２】
また、本発明において、前記プロテクタ本体には、少なくとも３つの前記スリットが所定間隔を存して配設されていることを特徴とする。翼付留置針の両翼片は、輸液等に使用した後には水平に戻らず合掌方向に折り癖がつきやすい。そこで、少なくとも３つのスリットを形成しておくことによって、両翼片に合掌方向に折り癖がついていても、翼片を何れかのスリットによって確実に案内することができる。これによって、翼付留置針をプロテクタ本体内へ収納するときには、例えば、翼付留置針に接続されたチューブを引っ張るだけで、スリットへの翼片の進入が円滑に行なわれ、翼付留置針をプロテクタ本体内へ収納する操作を極めて簡単に行なうことができる。
【００１３】
また、本発明においては、前記プロテクタ本体の後端部には、前記チューブが挿通自在であって且つ前記翼付留置針が収納されたとき、前記保持筒とチューブとの間に形成された拡径部を嵌挿して係止する係止部が設けられていることを特徴とする。本発明によれば、前記プロテクタ本体の後端部に前記係止部を設けたことにより、保持筒とチューブとの間に拡径部を形成しておくだけで、拡径部を係止部に嵌挿して係止することができる。このように、極めて簡単な構造で抜け止めすることができ、プロテクタ本体内に翼付留置針が収納された状態を確実に維持することができる。
【００１４】
【発明の実施の形態】
本発明の一実施形態を図面に基づいて説明する。図１は本実施形態の翼付留置針用プロテクタを示す説明的斜視図、図２は本実施形態の翼付留置針用プロテクタの使用方法の説明図、図３は翼付留置針の収納時のプロテクタの説明的正面図、図４はプロテクタ本体の後端部の説明的断面図である。
【００１５】
図１に示すように翼付留置針１は、鋭利な刃先２を有する略円筒状の中空針３と、該中空針３の後端を保持する略円筒状の保持筒４と、該保持筒４の径方向に対称に一体に形成され軟性の樹脂からなる一対の翼片５を備えている。保持筒４はその後端部に可撓性のチューブ６の一端が接続されている。チューブ６の他端は図示しない医療器具に接続されており、チューブ６を介して薬液等が保持筒４及び中空針３に送られるようになっている。保持筒４とチューブ６との接続部分は、保持筒４の後端部をチューブ６に挿入することにより、チューブ６が弾発的に拡径された拡径部７が形成されている。該拡径部７においてはチューブ６が縮径方向への復元力をもって保持筒４の後端部に密着し、強固な接続状態が維持されている。
【００１６】
該チューブ６には、本実施形態のプロテクタ８が移動自在に取り付けられている。プロテクタ８は、円筒状に形成されたプロテクタ本体９と、該プロテクタ本体９にその軸線方向に移動自在に外挿された環状の摺動部材であるカラー１０とによって構成されている。
【００１７】
プロテクタ本体９は、翼付留置針１を収納可能な空間である収納部１１と、該収納部１１の後端に一体に連設されて前記チューブ６が挿通するチューブ挿通孔１２とを備えている。収納部１１の周壁には、プロテクタ本体９の長手方向に中空針３より長く切り込まれた３つのスリット１３が形成されている。詳しくは後述するが、翼付留置針１をプロテクタ本体９の収納部１１に収納するとき、一対の翼片５が３つのうち何れか２つのスリット１３により案内される。各スリット１３の先端部は、翼片５を円滑に進入させるために、先端に向かって開拡する案内傾斜１４が設けられている。
【００１８】
前記チューブ挿通孔１２は、チューブ６の外径よりも大きく且つ前記拡径部７よりも小さな内径に形成されている。また、プロテクタ本体９の後端部には外径が収納部１１より僅かに拡径されて後方に延びる把持部１５が設けられている。収納部１１と把持部１５との間には段差部１６が形成されている。前記カラー１０は、翼付留置針１が収納部１１に収納されていないときには、プロテクタ本体９の先端部に位置し、翼付留置針１が収納部１１に収納されたとき、後退したカラー１０が段差部１６に当接し、プロテクタ本体９の後端部からのカラー１０の抜け落ちが防止される。
【００１９】
次に、前述の構成によるプロテクタ８の使用方法を説明する。前記翼付留置針１は、例えば、輸液等の医療行為において患者の血管に穿入して使用され、医療行為後の翼付留置針１は患者から取り外されて廃棄される。この際、翼付留置針１は、廃棄に先立ってプロテクタ８に収納される。即ち、図１に示すように、翼付留置針１を患者から取り外した後、プロテクタ本体９の把持部１５を把持してプロテクタ本体９の後端部から延出されているチューブ６を引っ張り、翼付留置針１をプロテクタ本体９の先端に接近させる。このとき、各スリット１３の先端部がカラー１０により閉塞されているので、比較的無造作にチューブ６を引っ張っても、チューブ６がスリット１３に挟み込まれることなく翼付留置針１をプロテクタ本体９の方向に接近させることができる。
【００２０】
更に、チューブ６を引っ張ると、図２（ａ）に示すように、翼付留置針１の各翼片５がスリット１３内に進入して該スリット１３により案内される。ところで、前述した医療行為で使用後の両翼片５は互いに水平位置に戻りにくい。そこで、本実施形態においては３つのスリット１３を設けておくことにより、図３に示すように、両翼片５が互いに水平位置に戻らずに傾斜していても、両翼片５を何れか２つのスリット１３に円滑に進入させることができる。更にこのとき、図２（ａ）に示すように、両翼片５がカラー１０に当接した状態でスリット１３に案内され、該カラー１０が両翼片５に追従して後退されるので、チューブ６のスリット１３へ挟み込みを防止しながら円滑に翼付留置針１を収納方向に移動させることができる。
【００２１】
そして、図２（ａ）に示した状態から更にチューブ６を引っ張ると、図２（ｂ）に示すように両翼片５はスリット１３の後端に当接し、翼付留置針１全体が収納部１１に収納される。このとき、図４に示すように、前記チューブ挿通孔１２に拡径部７が嵌挿される。チューブ挿通孔１２は、前述したようにチューブ６の外径よりも大きく且つ前記拡径部７よりも小さな内径に形成されているので、保持筒４とチューブ６との接続部分の拡径部７を挿入するだけで本発明の係止部として作用し、保持筒４を介して翼付留置針１を抜け止め状態に係止することができる。
【００２２】
このように、本実施形態に示すように、翼付留置針１のプロテクタ８への収納操作時にチューブ６がスリット１３に挟み込まれることを確実に防止することができ、しかも、両翼片５を円滑にスリット１３に沿って摺動させることができるので、翼付留置針１をプロテクタ本体９内へ収納する操作を極めて簡単に行なうことができる。そして、プロテクタ本体９内に収納された翼付留置針１は、拡径部７がチューブ挿通孔１２（係止部）に嵌挿されてプロテクタ本体９内への収納状態が維持されるので、針刺し事故や感染を確実に防止することができる。
【図面の簡単な説明】
【図１】本発明の一実施形態の翼付留置針用プロテクタを示す説明的斜視図。
【図２】本実施形態の翼付留置針用プロテクタの使用方法の説明図。
【図３】翼付留置針の収納時のプロテクタの説明的正面図。
【図４】プロテクタ本体の後端部の説明的断面図。
【符号の説明】
１…翼付留置針、２…刃先、３…中空針、４…保持筒、５…翼片、６…チューブ、７…拡径部、８…プロテクタ、９…プロテクタ本体、１０…カラー（摺動部材）、１２…チューブ挿通孔（係止部）、１３…スリット。
【図１】
2004222960.tif 000003
【図２】
2004222960.tif 000004
【図３】
2004222960.tif 000005
【図４】
2004222960.tif 000006